(57)【要約】【課題】通信システムの通信環境が不安定になることを抑制できる情報端末、通信システム、及び端末制御方法を提供する。【解決手段】第１子機Ａ１は、狭域無線通信部４５と、通信制御部４２ａと、識別信号制御部４２ｂとを備える。狭域無線通信部４５は、複数の端末Ｘのうちの他の端末Ｘと通信するための部材である。通信制御部４２ａは、狭域無線通信部４５が中継通信を行うように狭域無線通信部４５を制御する。識別信号制御部４２ｂは、第１子機Ａ１を識別するための情報を含む識別信号を狭域無線通信部４５が送信するように狭域無線通信部４５を制御する。識別信号制御部４２ｂは、中継通信が行われた中継回数、及び、中継通信が行われた中継通信時間のうちの少なくとも１つに基づいて識別信号の送信電力を制御する。【選択図】図４
2019161451.tif 000002
【特許請求の範囲】
【請求項１】
複数の端末を備える通信システムに含まれる情報端末であって、
前記複数の端末のうちの１の端末である前記情報端末は、
前記複数の端末のうちの他の端末と通信するための通信部と、
前記通信部が中継通信を行うように前記通信部を制御する通信制御部と、
前記情報端末を識別するための情報を含む識別信号を前記通信部が送信するように、前記通信部を制御する識別信号制御部と
を備え、
前記中継通信は、前記他の端末のうちの１つから前記情報端末を経由して、前記他の端末のうちの他の１つに通信信号を送信する処理を示し、
前記識別信号制御部は、前記中継通信が行われた中継回数、及び、前記中継通信が行われた中継通信時間のうちの少なくとも１つに基づいて前記識別信号の送信電力を制御する、情報端末。
【請求項２】
所定の条件が満たされたか否かを判定する判定部をさらに備え、
前記所定の条件は、第１所定期間内に前記中継回数が所定回数以上になる条件、及び、第２所定期間内に前記中継通信時間が所定時間以上になる条件のうちの少なくとも１つの条件を示し、
前記所定の条件が満たされたと前記判定部が判定した場合に、前記識別信号制御部は前記識別信号の送信電力を第１送信電力から前記第１送信電力よりも低い第２送信電力に変更する、請求項１に記載の情報端末。
【請求項３】
前記通信部が、前記第１所定期間内の前記中継回数を示す信号と、前記第２所定期間内の前記中継通信時間を示す信号と、前記情報端末のバッテリの残量を示す信号とのうちの少なくとも１つを、前記識別信号と共に送信するように、前記識別信号制御部が前記通信部を制御する、請求項２に記載の情報端末。
【請求項４】
所定の条件が満たされたか否かを判定する判定部と、
前記通信部を制御する条件信号制御部と
をさらに備え、
前記所定の条件が満たされたと前記判定部が判定した場合に、前記情報端末を制御する中央制御装置、又は前記情報端末と通信可能な外部端末に対し、前記所定の条件が満たされたことを示す条件信号を前記通信部が送信するように、前記条件信号制御部が前記通信部を制御し、
前記所定の条件は、第１所定期間内に前記中継回数が所定回数以上になる条件、及び、第２所定期間内に前記中継通信時間が所定時間以上になる条件のうちの少なくとも１つの条件を示し、
前記中央制御装置又は前記外部端末が前記条件信号に応じて送信した指示信号を前記通信部が受信すると、前記識別信号制御部が前記指示信号の指示に従って前記識別信号の送信電力を変更し、
前記指示信号は、前記識別信号の送信電力を第１送信電力から前記第１送信電力よりも低い第２送信電力に変更することを指示する信号を示す、請求項１に記載の情報端末。
【請求項５】
前記外部端末の入力部を介して入力された前記識別信号の送信電力を変更することを指示する情報に基づいて、前記識別信号制御部が前記識別信号の送信電力を変更する、請求項４に記載の情報端末。
【請求項６】
複数の端末を備える通信システムであって、
前記複数の端末のうちの１の端末である情報端末は、
前記複数の端末のうちの他の端末と通信するための通信部と、
前記通信部が中継通信を行うように前記通信部を制御する通信制御部と、
前記情報端末を識別するための情報を含む識別信号を前記通信部が送信するように前記通信部を制御する識別信号制御部と
を有し、
前記中継通信は、前記他の端末のうちの１つから前記情報端末を経由して、前記他の端末のうちの他の１つに通信信号を送信する処理を示し、
前記識別信号制御部は、前記中継通信が行われた中継回数、及び、前記中継通信が行われた中継通信時間のうちの少なくとも１つに基づいて前記識別信号の送信電力を制御する、通信システム。
【請求項７】
複数の端末を備える通信システムの前記端末を制御する端末制御方法であって、
前記複数の端末のうちの１の端末である情報端末が前記複数の端末のうちの他の端末と中継通信を行う工程と、
前記中継通信が行われた中継回数、及び、前記中継通信が行われた中継通信時間のうちの少なくとも１つに基づいて、前記情報端末の識別信号の送信電力を制御する工程と
を備え、
前記識別信号は、前記情報端末を識別するための情報を含んだ信号を示し、
前記中継通信は、前記他の端末のうちの１つから前記情報端末を経由して、前記他の端末のうちの他の１つに通信信号を送信する処理を示す、端末制御方法。
【発明の詳細な説明】
【技術分野】
【０００１】
本発明は、情報端末、通信システム、及び端末制御方法に関する。
【背景技術】
【０００２】
特許文献１に記載の無線通信システムは、無線通信網を介して接続された複数の無線通信装置を備える。各無線通信装置は、送信手段と、受信手段とを備える。送信手段は、通信相手を探索するための探索信号を外部へ送信する。受信手段は、外部から送信された探索信号を受信する。各無線通信装置は、変更手段と、特定手段と、報知手段とを備える。変更手段は、受信感度を所定感度より低い感度に変更する。特定手段は、受信感度を所定感度より低い感度に変更した状態にて、受信手段による探索信号の受信状況を特定する。報知手段は、特定した受信状況を報知する。
【先行技術文献】
【特許文献】
【０００３】
【特許文献１】特開２０１５−２２０７３７号公報
【発明の概要】
【発明が解決しようとする課題】
【０００４】
しかし、複数の無線通信装置（端末）のうち特定の無線通信装置に通信信号が集中すると、特定の無線通信装置にかかる通信負荷が大きくなる。その結果、通信信号が円滑に送信されず、無線通信システムの通信環境が不安定になるおそれがあった。
【０００５】
本発明は、通信システムの通信環境が不安定になることを抑制できる情報端末、通信システム、及び端末制御方法を提供することを目的としている。
【課題を解決するための手段】
【０００６】
本発明の第１の局面によれば、情報端末は、複数の端末を備える通信システムに含まれる。情報端末は、前記複数の端末のうちの１の端末である。情報端末は、通信部と、通信制御部と、識別信号制御部とを備える。通信部は、前記複数の端末のうちの他の端末と通信するための部材である。通信制御部は、前記通信部が中継通信を行うように前記通信部を制御する。識別信号制御部は、前記情報端末を識別するための情報を含む識別信号を前記通信部が送信するように前記通信部を制御する。前記中継通信は、前記他の端末のうちの１つから前記情報端末を経由して、前記他の端末のうちの他の１つに通信信号を送信する処理を示す。前記識別信号制御部は、前記中継通信が行われた中継回数、及び、前記中継通信が行われた中継通信時間のうちの少なくとも１つに基づいて前記識別信号の送信電力を制御する。
【０００７】
本発明の第２の局面によれば、通信システムは、複数の端末を備える。情報端末は、前記複数の端末のうちの１の端末である。情報端末は、通信部と、通信制御部と、識別信号制御部とを備える。通信部は、前記複数の端末のうちの他の端末と通信するための部材である。通信制御部は、前記通信部が中継通信を行うように前記通信部を制御する。識別信号制御部は、前記情報端末を識別するための情報を含む識別信号を前記通信部が送信するように前記通信部を制御する。前記中継通信は、前記他の端末のうちの１つから前記情報端末を経由して、前記他の端末のうちの他の１つに通信信号を送信する処理を示す。前記識別信号制御部は、前記中継通信が行われた中継回数、及び、前記中継通信が行われた中継通信時間のうちの少なくとも１つに基づいて前記識別信号の送信電力を制御する。
【０００８】
本発明の第３の局面によれば、端末制御方法は、複数の端末を備える通信システムの前記端末を制御する。端末制御方法は、前記複数の端末のうちの１の端末である情報端末が前記複数の端末のうちの他の端末と中継通信を行う工程を備える。端末制御方法は、前記中継通信が行われた中継回数、及び、前記中継通信が行われた中継通信時間のうちの少なくとも１つに基づいて、前記情報端末の識別信号の送信電力を制御する工程を備える。前記識別信号は、前記情報端末を識別するための情報を含んだ信号を示す。前記中継通信は、前記他の端末のうちの１つから、前記情報端末を経由して、前記他の端末のうちの他の１つに通信信号を送信する処理を示す。
【発明の効果】
【０００９】
本発明によれば、通信システムの通信環境が不安定になることを抑制できる。
【図面の簡単な説明】
【００１０】
【図１】本発明の第１実施形態に係るテレメータシステムのブロック図である。
【図２】サーバのブロック図である。
【図３】親機のブロック図である。
【図４】第１子機のブロック図である。
【図５】制御装置の第１の動作を示すフロー図である。
【図６】（ａ）第１の通信を示す模式図である。（ｂ）第２の通信を示す模式図である。（ｃ）第３の通信を示す模式図である。（ｄ）第４の通信を示す模式図である。
【図７】送信電力と、通信信号の流れとの関係を示す第１の図である。
【図８】通信信号の流れを示すフロー図である。
【図９】送信電力と、通信信号の流れとの関係を示す第２の図である。
【図１０】制御装置の第２の動作を示すフロー図である。
【図１１】制御装置の第３の動作を示すフロー図である。
【図１２】第１子機のブロック図である。
【図１３】制御装置の第４の動作を示す第２フロー図である。
【図１４】外部端末のブロック図である。
【図１５】第１画面の第１図である。
【図１６】第２画面の第１図である。
【図１７】第２画面の第２図である。
【図１８】第１画面の第２図である。
【発明を実施するための形態】
【００１１】
本発明の実施形態について、図面を参照しながら説明する。なお、図中、同一又は相当部分については同一の参照符号を付して説明を繰り返さない。
【００１２】
［第１実施形態］
図１を参照して、本発明の実施形態に係るテレメータシステム１００について説明する。図１は、本発明の第１実施形態に係るテレメータシステム１００のブロック図である。
【００１３】
テレメータシステム１００は、本発明の通信システムの一例である。通信システムは、複数の端末間の通信を介して情報を収集するシステムである。
【００１４】
図１に示すように、第１実施形態のテレメータシステム１００は、複数の計測場所で計測された計測値を収集するシステムである。
【００１５】
テレメータシステム１００は、サーバ１０と、センタ側網制御部２０と、複数の端末Ｘと、第１計測装置Ｂ１〜第Ｎ計測装置ＢＮとを備える。複数の端末Ｘは、親機３０と、第１子機Ａ１〜第Ｎ子機ＡＮとを含む。Ｎは、２以上の整数である。第１実施形態では、Ｎ＝５である。
【００１６】
第１子機Ａ１は、本発明の情報端末の一例である。
【００１７】
サーバ１０は、親機３０、及び第１子機Ａ１〜第Ｎ子機ＡＮの各々を制御する。サーバ１０は、親機３０、及び第１子機Ａ１〜第Ｎ子機ＡＮを介して、第１計測装置Ｂ１〜第Ｎ計測装置ＢＮの各々が計測した計測値を収集する。
【００１８】
サーバ１０は、本発明の中央制御装置の一例である。
【００１９】
センタ側網制御部２０は、サーバ１０が親機３０と通信するための通信処理を仲介する。センタ側網制御部２０とサーバ１０とは有線又は無線で接続される。センタ側網制御部２０と親機３０とは、例えば、ＰＨＳ網、及びＦＯＭＡ網のような広域無線網Ｎ１に接続される。センタ側網制御部２０と親機３０とは、広域無線網Ｎ１を介して互いに無線通信を行う。
【００２０】
なお、本実施形態では、センタ側網制御部２０と親機３０とを広域無線網Ｎ１により接続するが、本発明はこれに限定されない。センタ側網制御部２０と親機３０とは、有線のＩＰ網、及び公衆網のような通信網で互いに接続されてもよい。また、センタ側網制御部２０と親機３０とは、有線接続されてもよい。また、広域無線網Ｎ１に複数の親機３０が接続されてもよい。
【００２１】
センタ側網制御部２０は、例えば、通信事業者の公衆網に設けられる。センタ側網制御部２０は、広域無線網Ｎ１を介して親機３０及び第１子機Ａ１から第Ｎ子機ＡＮのような端末側の装置の通信を制御する。
【００２２】
センタ側網制御部２０がサーバ１０から電文を受信した場合、センタ側網制御部２０は、広域無線網Ｎ１の通信規格に準拠した通信方式で端末側の装置へ電文を送信する。また、センタ側網制御部２０は、広域無線網Ｎ１を介して端末側の装置から電文を受信した場合、受信した電文をサーバ１０へ送信する。
【００２３】
親機３０は、広域無線網Ｎ１を介して、センタ側網制御部２０及びサーバ１０のようなセンタ側の装置に接続される。親機３０は、狭域無線網Ｎ２を介して第１子機Ａ１〜第Ｎ子機ＡＮの各々に直接又は間接に接続される。
【００２４】
親機３０は、第１子機Ａ１〜第Ｎ子機ＡＮの各々と直接又は間接に無線接続される。なお、親機３０は、第１子機Ａ１〜第Ｎ子機ＡＮの各々と直接又は間接に有線接続されてもよい。
【００２５】
狭域無線網Ｎ２、及びセンタ側網制御部２０を介して第１子機Ａ１がサーバ１０から電文を受信した場合、第１子機Ａ１は、受信した電文が自機宛の電文であるか否かを判定する。第１子機Ａ１が受信した電文の宛先アドレスとして第１子機Ａ１の識別番号が指定されている場合、受信した電文が自機宛の電文であると第１子機Ａ１が判定する。そして、第１子機Ａ１は、受信した電文に含まれるデータの内容に基づいて各種の処理を実行することができる。
【００２６】
第１計測装置Ｂ１〜第Ｎ計測装置ＢＮの各々は、例えば、需要家に設置される。第１計測装置Ｂ１〜第Ｎ計測装置ＢＮの各々は、メータを含む。本実施形態では、第１計測装置Ｂ１〜第Ｎ計測装置ＢＮの各々は、事業体から需要家に対して供給される水道、ガス、及び電気のような供給物の使用量を計測する。
【００２７】
なお、第１計測装置Ｂ１〜第Ｎ計測装置ＢＮの各々が計測する対象は、特に限定されない。第１計測装置Ｂ１〜第Ｎ計測装置ＢＮの各々は、例えば、気温、大気汚染、及び地震のような環境の物理量を計測してもよい。
【００２８】
第１計測装置Ｂ１〜第Ｎ計測装置ＢＮの各々は、例えば、８ビット系メータであり、８ビット系の電文フォーマットによりセンタ側の装置と通信する機能を有する。
【００２９】
第１計測装置Ｂ１〜第Ｎ計測装置ＢＮは、それぞれ、第１子機Ａ１〜第Ｎ子機ＡＮに接続される。
【００３０】
第ｐ計測装置Ｂｐは、第ｐ計測装置Ｂｐが計測した供給物の使用量の計測値を第ｐ子機Ａｐに出力する。第ｐ計測装置Ｂｐと第ｐ子機Ａｐとは、電線を介して有線接続される。なお、第ｐ計測装置Ｂｐと第ｐ子機Ａｐとが無線接続されてもよい。ｐは、１以上、Ｎ以下の整数である。
【００３１】
第ｐ子機Ａｐは、第ｐ計測装置Ｂｐから供給物の使用量の計測値を取得する。その結果、第ｐ計測装置Ｂｐの計測値は、第ｐ子機Ａｐ、及び親機３０を経由してサーバ１０に送信される。
【００３２】
第１計測装置Ｂ１〜第Ｎ計測装置ＢＮの各々の計測値は、サーバ１０に収集される。その結果、サーバ１０は、複数の需要家の供給物の使用量を把握することができる。
【００３３】
次に、図２を参照して、サーバ１０について説明する。図２は、サーバ１０のブロック図である。
【００３４】
図２に示すように、サーバ１０は、記憶部１１と、制御部１２と、通信部１３とを有する。
【００３５】
記憶部１１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。記憶部１１は、制御部１２によって実行される種々のコンピュータープログラムを記憶する。また、記憶部１１は、例えば、複数の需要家の識別番号と、複数の需要家の供給物の使用量とをそれぞれ対応付けた顧客情報を記憶する。
【００３６】
記憶部１１は、管理情報１１ａを記憶する。管理情報１１ａは、第１子機Ａ１〜第Ｎ子機ＡＮの各々を管理するための情報である。管理情報１１ａは、例えば、第１子機Ａ１〜第Ｎ子機ＡＮの各々の識別番号を含む。
【００３７】
制御部１２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御部１２は、記憶部１１に記憶されたコンピュータープログラムを実行することにより、サーバ１０の各要素を制御する。
【００３８】
通信部１３は、広域無線網Ｎ１を介して親機３０と無線通信を行う。通信部１３は、例えば、ＦＯＭＡのような広域通信可能な通信モジュールである。なお、通信部１３は、親機３０と有線通信を行ってもよい。
【００３９】
次に、図３を参照して、親機３０について説明する。図３は、親機３０のブロック図である。
【００４０】
図３に示すように、親機３０は、記憶部３１と、制御部３２と、入力部３３と、表示部３４と、広域無線通信部３５と、狭域無線通信部３６とを有する。
【００４１】
記憶部３１は、主記憶装置を含み、補助記憶装置をさらに含んでもよい。記憶部３１は、制御部３２によって実行される種々のコンピュータープログラムを記憶する。
【００４２】
制御部３２は、プロセッサーを含む。制御部３２は、記憶部３１に記憶されたコンピュータープログラムを実行することにより、親機３０の各要素を制御する。
【００４３】
入力部３３は、親機３０に対する指示を受け付ける。入力部３３は、例えば、ディップスイッチのような各種スイッチ、ボタン、及び、タッチパネルのうちの少なくとも１つを含む。
【００４４】
表示部３４は、例えば、保守作業を行う作業者に通知すべき情報を表示する。表示部３４は、例えば、ＬＥＤ、及び液晶表示パネルを含む。
【００４５】
広域無線通信部３５は、アンテナ（不図示）を通じて電波を送信及び受信することによって、広域無線網Ｎ１を介した無線通信を行う。広域無線通信部３５は、例えば、ＦＯＭＡのような広域通信可能な通信モジュールである。親機３０は、例えば、広域無線通信部３５を介して第１計測装置Ｂ１の計測値〜第Ｎ計測装置ＢＮの計測値をサーバ１０へ送信する。
【００４６】
広域無線通信部３５は、アンテナにて電波を受信した場合、受信した電波をデコードすることにより電文を取得する。広域無線通信部３５は、デコードして得られる電文を制御部３２へ出力する。制御部３２は、例えば、広域無線通信部３５から出力された電文を取得した場合、取得した電文に応じた処理を行う。制御部３２は、例えば、広域無線通信部３５から出力された電文を取得した場合、狭域無線通信部３６を介して第１子機Ａ１〜第Ｎ子機ＡＮの各々へ電文を転送する処理を行う。
【００４７】
本実施形態では、広域無線通信部３５は親機３０に含まれる。しかし、本発明はこれに限定されない。広域無線通信部３５は外部の端末に含まれ、親機３０に含まれなくてもよい。この場合、親機３０から外部の端末に通信を行い、外部の端末の広域無線通信３５を経由して電文を送信する。
【００４８】
狭域無線通信部３６は、アンテナ（不図示）を介して電波を発信及び受信することによって、第１子機Ａ１〜第Ｎ子機ＡＮとの間で、所定の無線通信方式にて通信を行う。無線通信方式としては、例えば、特定小電力無線方式が採用される。特定小電力無線方式では、周波数割当帯域として、４２６ＭＨｚ帯域の他、より通信速度の速い９２０ＭＨｚ帯域が用いられる。狭域無線通信部３６は、例えば、９２０ＭＨｚ帯域通信用のＲＦ−ＬＳＩを使用した通信モジュールである。
【００４９】
狭域無線通信部３６の電文送信処理の一例を説明する。狭域無線通信部３６は、電文の送信先の第１子機Ａ１を探索するための探索信号として、例えば、ビーコン（Ｂｅａｃｏｎ）を間欠的に送信する。探索信号には、親機３０を識別するための無線機番号が含まれている。第１子機Ａ１は、親機３０が送信した検索信号を受信すると、応答信号を送信する。応答信号は、第１子機Ａ１を識別するための情報である無線機番号を含む。応答信号は、例えば、ビーコンである。狭域無線通信部３６は、第１子機Ａ１が送信した応答信号を受信した場合、応答信号に含まれる無線機番号より第１子機Ａ１を特定する。そして、狭域無線通信部３６は、第１子機Ａ１に電文を送信する。
【００５０】
狭域無線通信部３６の電文送信処理の二例を説明する。狭域無線通信部３６は、第１子機Ａ１に電文を送信する際に、第１子機Ａ１を起動するための起動信号を送信する。そして、第１子機Ａ１が起動信号に対する応答を返すと、狭域無線通信部３６は、第１子機Ａ１に電文を送信する。
【００５１】
次に、図４を参照して、第１子機Ａ１について説明する。図４は、第１子機Ａ１のブロック図である。なお、第２子機Ａ２〜第Ｎ子機ＡＮは、第１子機Ａ１と同じ構成を有する。
【００５２】
図４に示すように、第１子機Ａ１は、記憶部４１と、制御装置４２と、入力部４３と、表示部４４と、狭域無線通信部４５と、接続部４６とを有する。
【００５３】
記憶部４１は、主記憶装置を含み、補助記憶装置をさらに含んでもよい。記憶部４１は、制御装置４２によって実行される種々のコンピュータープログラムを記憶する。
【００５４】
制御装置４２は、プロセッサーを含む。制御装置４２は、記憶部４１に記憶されたコンピュータープログラムを実行することにより、第１子機Ａ１の各要素を制御する。
【００５５】
制御装置４２は、通信制御部４２ａと、識別信号制御部４２ｂと、中継算出部４２ｃと、条件信号制御部４２ｄと、判定部４２ｅとを含む。具体的には、制御装置４２のプロセッサーが、記憶部４１に記憶されたコンピュータープログラムを実行することにより、通信制御部４２ａ、識別信号制御部４２ｂ、中継算出部４２ｃ、条件信号制御部４２ｄ、及び判定部４２ｅとして機能する。
【００５６】
入力部４３は、第１子機Ａ１に対する指示を受け付ける。入力部４３は、例えば、ディップスイッチのような各種スイッチ、ボタン、及び、タッチパネルのうちの少なくとも１つを含む。
【００５７】
表示部４４は、例えば、保守作業を行う作業者に通知すべき情報を表示する。表示部４４は、例えば、ＬＥＤ、及び液晶表示パネルを含む。
【００５８】
狭域無線通信部４５は、所定の範囲内で通信を行うことが可能なデバイスである。狭域無線通信部４５は、アンテナ（不図示）を介して電波を送信及び受信することによって、親機３０及び他の子機との間で、所定の無線通信方式にて通信を行う。狭域無線通信部４５は、例えば、９２０ＭＨｚ帯域通信用のＲＦ−ＬＳＩを使用した通信モジュールである。狭域無線通信部４５は、親機３０の狭域無線通信部３６と同様の機能を有する。
【００５９】
狭域無線通信部４５は、本発明の通信部の一例である。
【００６０】
第１子機Ａ１は、複数の端末Ｘのうち、狭域無線通信部４５による通信が可能な領域内に位置する端末Ｘと通信可能に接続される。第１実施形態では、第１子機Ａ１は、親機３０、第４子機Ａ４、及び第５子機Ａ５と通信可能に接続される。
【００６１】
接続部４６は、第１計測装置Ｂ１を接続するための１又は複数のポートを備える。接続部４６は、電線１によって第１計測装置Ｂ１と有線接続される。接続部４６は、電線１を介して第１計測装置Ｂ１の計測値を取得する。
【００６２】
第２子機Ａ２〜第Ｎ子機ＡＮは、第１子機Ａ１と同様の構成を有する。
【００６３】
次に、図１、図５及び図６（ａ）〜図６（ｄ）を参照して、第１子機Ａ１の制御装置４２の動作について説明する。図５は、制御装置４２の第１の動作を示すフロー図である。
【００６４】
図５に示すように、ステップＳ１００において、識別信号制御部４２ｂは、第１子機Ａ１の送信電力が第１送信電力になるように、第１子機Ａ１の送信電力を設定する。その結果、狭域無線通信部４５が第１送信電力で第１子機Ａ１の識別信号を送信するように、識別信号制御部４２ｂが狭域無線通信部４５を制御する。
【００６５】
第１子機Ａ１の送信電力は、詳細には、第１子機Ａ１の識別信号の送信電力を示す。
【００６６】
第１子機Ａ１の識別信号は、第１子機Ａ１を識別するための情報を含んだ信号を示す。識別信号は、例えば、ビーコンである。なお、識別信号は、ブルートゥース（Ｂｌｕｅｔｏｏｔｈ（登録商標））でもよい。
【００６７】
第１送信電力は、予め設定されている。第１送信電力は、記憶部４１に記憶されている。
【００６８】
ステップＳ１１０において、中継算出部４２ｃは、中継通信が行われた回数である中継回数を算出する。
【００６９】
中継通信は、複数の端末Ｘのうちの１つから第１子機Ａ１を経由して、複数の端末Ｘのうちの他の１つに通信信号を送信する処理を示す。
【００７０】
中継通信について説明する。図６（ａ）は、第１の通信を示す模式図である。図６（ｂ）は、第２の通信を示す模式図である。図６（ｃ）は、第３の通信を示す模式図である。図６（ｄ）は、第４の通信を示す模式図である。
【００７１】
第１実施形態の中継通信は、第１の通信〜第４の通信を含む。図１及び図６（ａ）に示すように、第１の通信は、親機３０から第１子機Ａ１を経由して第４子機Ａ４に通信信号を送信する処理を示す。図１及び図６（ｂ）に示すように、第２の通信は、親機３０から第１子機Ａ１を経由して第５子機Ａ５に通信信号を送信する処理を示す。図１及び図６（ｃ）に示すように、第３の通信は、第４子機Ａ４から第１子機Ａ１を経由して親機３０に通信信号を送信する処理を示す。図１及び図６（ｄ）に示すように、第４の通信は、第５子機Ａ５から第１子機Ａ１を経由して親機３０に通信信号を送信する処理を示す。
【００７２】
以下では、中継通信（第１の通信〜第４の通信）で送信される通信信号について説明する。
【００７３】
図６（ａ）〜図６（ｄ）において、矢印は、通信信号の流れを示す。通信信号は、第１子機Ａ１を経由して送信される信号を示す。
【００７４】
図６（ａ）に示す第１の通信では、通信信号は、例えば、第４子機Ａ４に対する指示を示す信号である。第４子機Ａ４に対する指示を示す信号は、サーバ１０から出力された後、親機３０、第１子機Ａ１を経由して第４子機Ａ４に送信される。その結果、第４子機Ａ４は、サーバ１０からの指示を受け付ける。
【００７５】
図６（ｂ）に示す第２の通信では、通信信号は、例えば、第５子機Ａ５に対する指示を示す信号である。第５子機Ａ５に対する指示を示す信号は、サーバ１０から出力された後、親機３０、第１子機Ａ１を経由して第５子機Ａ５に送信される。その結果、第５子機Ａ５は、サーバ１０からの指示を受け付ける。
【００７６】
図６（ｃ）に示す第３の通信では、通信信号は、例えば、第４計測装置Ｂ４の計測値を示す信号である。第４計測装置Ｂ４の計測値を示す信号は、第４子機Ａ４、第１子機Ａ１、及び親機３０を経由してサーバ１０に送信される。その結果、サーバ１０は、第４計測装置Ｂ４の計測値を取得する。
【００７７】
図６（ｄ）に示す第４の通信では、通信信号は、例えば、第５計測装置Ｂ５の計測値を示す信号である。第５計測装置Ｂ５の計測値を示す信号は、第５子機Ａ５、第１子機Ａ１、及び親機３０を経由してサーバ１０に送信される。その結果、サーバ１０は、第５計測装置Ｂ５の計測値を取得する。
【００７８】
中継算出部４２ｃは、図６（ａ）〜図６（ｄ）に示す中継通信が行われた回数である中継回数を算出する。
【００７９】
図５に示すように、ステップＳ１２０において、判定部４２ｅは、所定の第１条件が満たされたか否かを判定する。所定の第１条件は、第１所定期間内に中継回数が所定回数以上になる条件を示す。第１所定期間内は、詳細には、所定の第１条件が満たされたか否かを判定部４２ｅが判定する処理を開始する時点から過去の第１所定期間内を示す。
【００８０】
所定回数、及び第１所定期間の各々は、予め決められている。所定回数、及び第１所定期間の各々は、記憶部４１に記憶されている。
【００８１】
第１所定期間内に中継回数が所定回数以上になる場合（ステップＳ１２０で、Ｙｅｓ）、処理がステップＳ１３０に移行する。なお、第１所定期間内に中継回数が所定回数以上になる状態は、第１子機Ａ１のビジー状態の一例を示す。
【００８２】
第１所定期間内に中継回数が所定回数以上にならない場合（ステップＳ１２０で、Ｎｏ）、処理がステップＳ１４０に移行する。
【００８３】
ステップＳ１３０において、識別信号制御部４２ｂは、第１子機Ａ１の送信電力を第１送信電力から第２送信電力に変更する。その結果、狭域無線通信部４５が第２送信電力で第１子機Ａ１の識別信号を送信するように、識別信号制御部４２ｂが狭域無線通信部４５を制御する。
【００８４】
第２送信電力は、第１送信電力よりも低い。第２送信電力は、予め設定されている。第２送信電力は、記憶部４１に記憶されている。
【００８５】
ステップＳ１３０に示す処理が終了すると、制御装置４２の動作を示す処理が終了する。
【００８６】
ステップＳ１４０において、識別信号制御部４２ｂは、第１子機Ａ１の送信電力を第１送信電力に保持する。ステップＳ１４０に示す処理が終了すると、制御装置４２の動作を示す処理が終了する。
【００８７】
次に、図７を参照して、送信電力と、通信信号の流れとの関係について説明する。図７は、送信電力と、通信信号の流れとの関係を示す第１の図である。
【００８８】
図７に示すように、各端末Ｘの識別信号の通信可能範囲に基づいて、通信信号の経路αが形成される。通信信号の経路αは、複数の端末Ｘのうち、識別信号を互いに送受信可能な端末Ｘ同士の間に形成される。経路αが形成されることで、サーバ１０が、複数の端末Ｘの各々と経路αを介して通信可能に接続される。接続されるとは、詳細には、有線又は無線により通信可能に接続されることを示す。
【００８９】
複数の端末Ｘのうちの１の端末Ｘが、２つ以上の他の端末Ｘに接続されている場合、２つ以上の他の端末Ｘのうちで識別信号の送信電力が最も高い端末Ｘに向かって、１の端末Ｘから通信信号が流れる。
【００９０】
次に、図７、及び図８を参照して通信信号が流れる原理について説明する。図８は、通信信号の流れを示すフロー図である。
【００９１】
図７及び図８に示すように、第１子機Ａ１の送信電力は、例えば、２０ｍＷである。第２子機Ａ２の送信電力は、例えば、１５ｍＷである。
【００９２】
ステップＳ１０において、サーバ１０から第４子機Ａ４宛に通信信号が送信される。サーバ１０から送信された通信信号は、親機３０に到達する。
【００９３】
ステップＳ１１において、親機３０は、検索信号を送信する。検索信号は、複数の端末Ｘのうち、親機３０と通信可能な端末Ｘを検索するための信号である。検索信号は、例えば、ビーコンである。第１子機Ａ１〜第３子機Ａ３の各々は、検索信号を受信する。
【００９４】
ステップＳ１２において、第１子機Ａ１〜第３子機Ａ３の各々は、検索信号に対する応答信号として、識別信号を送信する。
【００９５】
また、第１子機Ａ１〜第３子機Ａ３の各々は、通信可能な端末Ｘを示す端末情報を送信する。
【００９６】
親機３０は、第１子機Ａ１〜第３子機Ａ３の各々から、識別信号と端末情報とを受信する。
【００９７】
ステップＳ１３において、親機３０は、第１子機Ａ１〜第３子機Ａ３のうちから対象子機を選択する。対象子機は、親機３０から通信信号を送信される端末Ｘを示す。
【００９８】
第３子機Ａ３の端末情報によると、第３子機Ａ３は第４子機Ａ４と通信可能ではない。従って、第３子機Ａ３は、対象子機の候補から除外される。
【００９９】
第１子機Ａ１の端末情報によると、第１子機Ａ１は第４子機Ａ４と通信可能である。また、第２子機Ａ２の端末情報によると、第２子機Ａ２は第４子機Ａ４と通信可能である。しかし、第１子機Ａ１の送信電力の方が、第２子機Ａ２の送信電力よりも高い。従って、親機３０は、第１子機Ａ１を対象子機に選択する。
【０１００】
ステップＳ１４において、親機３０は、第１子機Ａ１に通信信号を送信する。第１子機Ａ１は、通信信号を受信する。そして、第１子機Ａ１は、通信信号を第４子機Ａ４に送信する。その結果、処理が終了する。
【０１０１】
次に、図７及び図９を参照して、ステップＳ１３０（図５参照）において、第１子機Ａ１の送信電力が第１送信電力から第２送信電力に変更されたときの通信信号の経路αの変化について説明する。図９は、送信電力と、通信信号の流れとの関係を示す第２の図である。
【０１０２】
図７に示すように、第１子機Ａ１の第１送信電力は、２０ｍＷに設定されている。この場合、サーバ１０から第４子機Ａ４宛に送信される通信信号は、図７の太線に示すように、親機３０から第１子機Ａ１を経由して第４子機Ａ４に送信される。また、第４子機Ａ４からサーバ１０宛に送信される通信信号は、図７の太線に示すように、第４子機Ａ４から第１子機Ａ１を経由して親機３０に送信される。理由は、第１子機Ａ１の第１送信電力が第２子機Ａ２の送信電力よりも高いからである（２０ｍＷ＞１５ｍＷ）。
【０１０３】
図９に示すように、第１子機Ａ１の送信電力は、第１送信電力２０ｍＷから第２送信電力１０ｍＷに変更される。この場合、サーバ１０から第４子機Ａ４宛に送信される通信信号は、図９の太線に示すように、親機３０から第２子機Ａ２を経由して第４子機Ａ４に送信される。また、第４子機Ａ４からサーバ１０宛に送信される通信信号は、図９の太線に示すように、第４子機Ａ４から第２子機Ａ２を経由して親機３０に送信される。理由は、第２子機Ａ２の送信電力が第１子機Ａ１の第２送信電力よりも高いからでる（１５ｍＷ＞１０ｍＷ）。従って、第１子機Ａ１にかかる中継通信による負荷を軽減し、第１子機Ａ１のビジー状態を緩和することが可能になる。
【０１０４】
なお、複数の端末Ｘのうちの１の端末Ｘが２つ以上の他の端末Ｘに接続され、２つ以上の他の端末Ｘに第１子機Ａ１が含まれる場合、２つ以上の他の端末Ｘの各々の送信電力を比較すると、第１子機Ａ１の第２送信電力が最も高くならないように設定される。例えば、第１実施形態では、第１子機Ａ１の第２送信電力１０ｍＷは、第２子機Ａ２の送信電力１５ｍＷよりも低くなるように設定される。その結果、通信信号が第１子機Ａ１を通らないように通信信号を迂回させることが可能になる。
【０１０５】
以上、図７から図９を参照して説明したように、識別信号制御部４２ｂは、中継回数に基づいて第１子機Ａ１の送信電力を制御する。従って、中継回数が増加し、第１子機Ａ１がビジー状態になると、識別信号制御部４２ｂは、第１子機Ａ１の送信電力を下げて、通信信号が第１子機Ａ１を通らないように通信信号を迂回させることが可能になる。その結果、第１子機Ａ１がビジー状態になることを抑制できるので、テレメータシステム１００の通信環境が不安定になることを抑制できる。また、第１子機Ａ１がビジー状態になることを抑制できるので、第１子機Ａ１のバッテリの消費の増加を抑制することができる。
【０１０６】
また、第１子機Ａ１にかかる通信負荷が大きくなると、通信信号が第１子機Ａ１を通らないように通信信号を迂回させて、第１子機Ａ１にかかる通信負荷を他の端末Ｘに分散させることができる。従って、テレメータシステム１００全体にかかる通信負荷が第１子機Ａ１に偏ることを抑制できる。
【０１０７】
［第２実施形態］
次に、図１０を参照して、テレメータシステム１００の第２実施形態について説明する。図１０は、制御装置４２の第２の動作を示すフロー図である。
【０１０８】
第２実施形態は、中継通信時間に基づいて第１子機Ａ１の送信電力を変更するか否かが判定される点で第１実施形態と異なる。
【０１０９】
図１０に示すように、ステップＳ１００に示す処理が終了すると、処理がステップＳ１２１に移行する。
【０１１０】
ステップＳ１２１において、中継算出部４２ｃは、中継通信が行われた時間である中継通信時間を算出する。
【０１１１】
ステップＳ１２２において、判定部４２ｅは、所定の第２条件が満たされたか否かを判定する。所定の第２条件は、第２所定期間内に中継通信時間が所定時間以上になる条件を示す。第２所定期間内は、詳細には、所定の第２条件が満たされたか否かを判定部４２ｅが判定する処理を開始する時点から過去の第２所定期間内を示す。
【０１１２】
なお、第２所定期間の長さは、第１実施形態の第１所定期間の長さと同じでもよく、又は、異なっていてもよい。
【０１１３】
所定時間、及び第２所定期間の各々は、予め決められている。所定時間、及び第２所定期間の各々は、記憶部４１に記憶されている。
【０１１４】
第２所定期間内に中継通信時間が所定回数以上になる場合（ステップＳ１２２で、Ｙｅｓ）、処理がステップＳ１３０に移行する。なお、第１所定期間内に中継回数が所定回数以上になる状態は、第１子機Ａ１のビジー状態の二例を示す。
【０１１５】
第１所定期間内に中継通信時間が所定時間以上にならない場合（ステップＳ１２２で、Ｎｏ）、処理がステップＳ１４０に移行する。
【０１１６】
以上、図１０を参照して説明したように、第２所定期間内に通信時間が所定時間以上になると、第１子機Ａ１の送信電力が第１送信電力から第２送信電力に変更される。従って、第１子機Ａ１がビジー状態になることを抑制できる。その結果、テレメータシステム１００の通信環境が不安定になることを抑制できる。
【０１１７】
［第３実施形態］
次に、図１１を参照して、テレメータシステム１００の第３実施形態について説明する。図１１は、制御装置４２の第３の動作を示すフロー図である。
【０１１８】
第３実施形態は、中継回数と中継通信時間とに基づいて第１子機Ａ１の送信電力を変更するか否かが判定される点で第１実施形態、及び第２実施形態と異なる。
【０１１９】
ステップＳ１１０〜ステップＳ１２２に示すように、第３条件が満たされる場合、処理がステップＳ１３０に移行する。第３条件は、第１所定期間内に中継回数が所定回数以上になり、かつ、第２所定期間内に中継通信時間が所定回数以上になる条件を示す。
【０１２０】
第１所定期間内に中継回数が所定回数以上になり、かつ、第２所定期間内に中継通信時間が所定回数以上になる場合は、第１子機Ａ１のビジー状態の三例を示す。
【０１２１】
第３条件が満たされない場合、処理がステップＳ１４０に移行する。
【０１２２】
以上、図１１を参照して説明したように、第１所定期間内に中継回数が所定回数以上になり、かつ、第２所定期間内に通信時間が所定時間以上になると、第１子機Ａ１の送信電力が第１送信電力から第２送信電力に変更される。従って、第１子機Ａ１がビジー状態になることを抑制できる。その結果、テレメータシステム１００の通信環境が不安定になることを抑制できる。
【０１２３】
［第４実施形態］
次に、図１２及び図１３を参照して、テレメータシステム１００の第４実施形態について説明する。図１２は、制御装置４２の第４の動作を示す第１フロー図である。図１３は、制御装置４２の第４の動作を示す第２フロー図である。
【０１２４】
第４実施形態は、サーバ１０が第１子機Ａ１の送信電力の変更を指示する点で第１実施形態から第３実施形態と異なる。
【０１２５】
図１２に示すように、ステップＳ１００に示す処理が終了すると、処理がステップＳ１２３に移行する。
【０１２６】
ステップＳ１２３において、中継算出部４２ｃは、中継回数、及び、中継通信時間のうちの少なくとも１つを算出する。
【０１２７】
ステップＳ１２４において、判定部４２ｅは、所定の条件が満たされたか否かを判定する。所定の条件は、第１所定期間内に中継回数が所定回数以上になる条件、及び、第２所定期間内に中継通信時間が所定時間以上になる条件のうちの少なくとも１つを示す。所定の条件は、第１実施形態の所定の第１条件（図５のステップＳ１２０参照）、第２実施形態の所定の第２条件（図１０のステップＳ１２２参照）、及び第３実施形態の所定の第３条件（図１１のステップＳ１２０及びステップＳ１２２参照）のうちのいずれかを示す。
【０１２８】
所定の条件が満たされた場合（ステップＳ１２４で、Ｙｅｓ）、処理がステップＳ１２５に移行する。
【０１２９】
所定の条件が満たされない場合（ステップＳ１２４で、Ｎｏ）、処理がステップＳ１４０に移行する。
【０１３０】
ステップＳ１２５において、狭域無線通信部４５がサーバ１０に対し条件信号を送信するように、条件信号制御部４２ｄが狭域無線通信部４５を制御する。条件信号は、所定の条件が満たされたことを示す信号である。
【０１３１】
ステップＳ２００において、サーバ１０の通信部１３（図２参照）が、条件信号を受信する。
【０１３２】
ステップＳ２１０において、通信部１３が、第１子機Ａ１に対し、条件信号に応じて指示信号を送信するように、制御部１２が通信部１３を制御する。指示信号は、第１子機Ａ１の送信電力を第１送信電力から第２送信電力に変更することを指示する信号を示す。
【０１３３】
ステップＳ１２６において、第１子機Ａ１の狭域無線通信部４５が指示信号を受信する。
【０１３４】
図１３に示すように、ステップＳ１３０において、識別信号制御部４２ｂは第１子機Ａ１の送信電力を第１送信電力から第２送信電力に変更する。
【０１３５】
ステップＳ１３１において、狭域無線通信部４５がサーバ１０に対し変更完了信号を送信するように、条件信号制御部４２ｄが狭域無線通信部４５を制御する。変更完了信号は、第１子機Ａ１の送信電力を第１送信電力から第２送信電力に変更する作業が完了したことを示す信号である。その結果、第１子機Ａ１の処理が終了する。
【０１３６】
ステップＳ２２０において、通信部１３が、変更完了信号を受信する。
【０１３７】
ステップＳ２３０において、制御部１２は、第１子機Ａ１の送信電力として第２送信電力を登録する。具体的には、制御部１２は、管理情報１１ａにおいて、第１子機Ａ１の送信電力を第１送信電力から第２送信電力に変更する。その結果、サーバ１０は、現在の第１子機Ａ１の送信電力が第２送信電力であることを把握することが可能になる。また、サーバ１０が現在の第１子機Ａ１の送信電力を把握できることで、テレメータシステム１００において、通信信号の経路αを調整することが可能になる。
【０１３８】
以上、図１２及び図１３を参照して説明したように、ステップＳ２００（図１２参照）において、第１子機Ａ１から送信された条件信号を、サーバ１０が受信する。そして、ステップＳ２１０において、サーバ１０が第１子機Ａ１に対し指示信号を送信する。従って、サーバ１０が第１子機Ａ１の送信電力を管理することが可能になる。
【０１３９】
また、第１所定期間内に中継回数が所定回数以上になる条件、及び、第２所定期間内に通信時間が所定時間以上になる条件のうちの少なくとも１つが満たされると、第１子機Ａ１の送信電力が第１送信電力から第２送信電力に変更される。つまり、所定の条件が満たされたと判定部４２ｅが判定すると、第１子機Ａ１の送信電力が第１送信電力から第２送信電力に変更される。従って、第１子機Ａ１がビジー状態になることを抑制できる。その結果、テレメータシステム１００の通信環境が不安定になることを抑制できる。
【０１４０】
［第５実施形態］
次に、図１４から図１８を参照して、テレメータシステム１００の第５実施形態について説明する。図１４は、外部端末５０のブロック図である。
【０１４１】
第５実施形態は、外部端末５０を用いて第１子機Ａ１の送信電力を変更する点で第１実施形態から第４実施形態と異なる。
【０１４２】
図１４に示すように、テレメータシステム１００は、外部端末５０をさらに備える。
【０１４３】
外部端末５０は、例えば、ＰＣ（Ｐｅｒｓｏｎａｌ  Ｃｏｍｐｕｔｅｒ）又はスマートフォンのような端末である。
【０１４４】
外部端末５０は、記憶部５１と、制御部５２と、入力部５３と、表示部５４と、通信部５５とを有する。
【０１４５】
記憶部５１は、主記憶装置を含み、補助記憶装置をさらに含んでもよい。記憶部５１は、制御部５２によって実行される種々のコンピュータープログラムを記憶する。
【０１４６】
制御部５２は、プロセッサーを含む。制御部５２は、記憶部５１に記憶されたコンピュータープログラムを実行することにより、外部端末５０の各要素を制御する。
【０１４７】
入力部５３は、外部端末５０に対する指示を受け付ける。入力部５３は、例えば、キーボード、マウス、及び、タッチパネルのうちの少なくとも１つを含む。第５実施形態では、入力部５３は、タッチパネルを含む。
【０１４８】
表示部５４は、例えば、第１子機Ａ１の送信電力を変更するための画面を表示する。表示部３４は、例えば、ＬＥＤ、及び液晶表示パネルを含む。なお、第５実施形態では、表示部５４は、タッチセンサの含み、タッチパネルとして機能する。
【０１４９】
通信部５５は、第１子機Ａ１と通信可能である。通信部５５は、第１子機Ａ１の狭域無線通信部４５と同じ通信方式で通信を行うデバイスである。
【０１５０】
なお、外部端末５０は、第１子機Ａ１と無線通信を行ってもよく、有線通信を行ってもよい。
【０１５１】
次に、図１４から図１８を参照して、外部端末５０を用いて第１子機Ａ１の送信電力を変更する手順について説明する。図１５は、第１画面５４ａの第１図である。
【０１５２】
図１４及び図１５に示すように、表示部５４は、第１画面５４ａを表示する。第１画面５４ａは、接続状況画像Ｚを表示する。接続状況画像Ｚは、外部端末５０に近い場所に位置する複数の端末Ｘの接続状況を示す画像である。
【０１５３】
通信部５５には、複数の端末Ｘの各々から、複数の端末Ｘの各々がビジー状態であるか否かを示す第１信号が送信される。ビジー状態は、所定の条件（図１２のステップＳ１２４参照）が満たされていないことを示す。また、通信部５５には、複数の端末Ｘの各々から、複数の端末Ｘの各々のバッテリの残量を示す第２信号が送信される。
【０１５４】
制御部５２は、第１信号に基づいて、ビジー状態の端末Ｘを把握する。そして、制御部５２は、ビジー状態の端末Ｘを作業者に通知するための通知画像Ｚ１を第１画面５４ａに表示する。第５実施形態では、通知画像Ｚ１は、斜線が記載された第１子機Ａ１の画像を示す。作業者は、第１画面５４ａを介して通知画像Ｚ１を視認することで、第１子機Ａ１ビジー状態であることを認識することができる。
【０１５５】
作業者が通知画像Ｚ１をタッチ操作することで、制御部５２は、表示部５４に表示される画面を第１画面５４ａから第２画面５４ｂに切り替える。
【０１５６】
図１６は、第２画面５４ｂの第１図である。
【０１５７】
図１６に示すように、表示部５４は、第２画面５４ｂを表示する。第２画面５４ｂは、選択端末の状態を表示するための画面を示す。選択端末は、第１画面５４ａで選択された端末Ｘを示す。第５実施形態では、第１画面５４ａにおいて、第１子機Ａ１が選択（タッチ操作）される。従って、第５実施形態では、選択端末は、第１子機Ａ１である。
【０１５８】
以下では、選択端末を第１子機Ａ１として第２画面５４ｂの説明をする。
【０１５９】
第２画面５４ｂは、第１情報画像Ｚ２を表示する。第１情報画像Ｚ２は、作業者が修正不能な情報の画像を示す。第１情報画像Ｚ２は、例えば、現在の日にちを示す画像、第１子機Ａ１の通信回数を示す画像、第１子機Ａ１の通信時間を示す画像、及び第１子機Ａ１のバッテリの残量を示す画像を含む。なお、第１情報画像Ｚ２として、今までの第１子機Ａ１の通信回数、第１子機Ａ１の通信時間、及び第１子機Ａ１のバッテリの残量の履歴を、月単位、又は週単位で表した画像を用いてもよい。
【０１６０】
第２画面５４ｂは、第２情報画像Ｚ３をさらに表示する。第２情報画像Ｚ３は、作業者が修正可能な情報の画像を示す。第２情報画像Ｚ３は、例えば、第１子機Ａ１の送信電力を調整するための目盛り画像Ｚ３１を含む。目盛り画像Ｚ３１は、第１子機Ａ１の送信電力を変更するための画面を示す。
【０１６１】
なお、第２情報画像Ｚ３において、作業者が修正可能な情報の画像は、目盛り画像Ｚ３１に限定されない。作業者が、第２情報画像Ｚ３を介して、第１子機Ａ１の送信電力以外の第１子機Ａ１の設定値を修正できてもよい。また、作業者が修正可能な情報の画像が第２画面５４ｂにリスト表示されてもよい。
【０１６２】
図１７は、第２画面５４ｂの第２図である。
【０１６３】
図１４及び図１７に示すように、作業者が目盛り画像Ｚ３１をタッチ操作することで、変更指示情報が入力部５３を介して外部端末５０に入力される。変更指示情報は、第１子機Ａ１の送信電力を変更することを指示する情報を示す。
【０１６４】
入力部５３を介して入力された変更指示情報は、通信部５５から第１子機Ａ１に送信される。そして、第１子機Ａ１の識別信号制御部４２ｂ（図４参照）は、変更指示情報に基づいて、第１子機Ａ１の送信電力を変更する。
【０１６５】
なお、作業者が目盛り画像Ｚ３１をタッチ操作し、目盛り画像Ｚ３１の目盛り量を変更することで、第１子機Ａ１の送信電力が目盛り量に応じた高さに変更される。
【０１６６】
作業者による目盛り画像Ｚ３１のタッチ操作が終了した後、一定時間が経過すると、表示部５４には第１画面５４ａが表示される。なお、第２画面５４ｂ上に終了画像を設け、作業者が終了画像をタッチ操作することで、表示部５４に表示される画面が第２画面５４ｂから第１画面５４ａに切り替わってもよい。
【０１６７】
図１８は、第１画面５４ａの第２図である。
【０１６８】
図１８に示すように、表示部５４は、送信電力の調整作業終了後の第１画面５４ａを表示する。送信電力の調整作業により第１子機Ａ１のビジー状態が解消された場合、表示部５４は、通知画像Ｚ１に代えて改善画像Ｚ４を第１画面５４ａ上に表示する。改善画像Ｚ４は、第１子機Ａ１のビジー状態が解消されたことを作業者に通知するための画像である。第５実施形態では、改善画像Ｚ４は、網目状の斜線が記載された第１子機Ａ１の画像を示す。作業者は、第１画面５４ａを介して改善画像Ｚ４を視認することで、第１子機Ａ１のビジー状態が解消されたことを認識することができる。なお、ビジー状態が解消されるとは、所定の条件（図１２のステップＳ１２４参照）が満たされたことを示す。
【０１６９】
以上、図１４から図１８を参照して説明したように、外部端末５０の入力部５３（例えば、タッチパネル）を介して入力された変更指示情報に基づいて、識別信号制御部４２ｂが第１子機Ａ１の送信電力を変更する。その結果、作業者は、外部端末５０を操作して、第１子機Ａ１の送信電力を所望の高さに変更できる。
【０１７０】
以上、図面（図１〜図１８）を参照しながら本発明の実施形態について説明した。但し、本発明は、上記の実施形態に限られるものではなく、その要旨を逸脱しない範囲で種々の態様において実施することが可能である（例えば、（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１７１】
（１）第１実施形態から第５実施形態において、狭域無線通信部４５が、第１所定期間内の中継回数を示す信号と、第２所定期間内の通信時間を示す信号と、前記第１端末のバッテリの残量を示す信号とのうちの少なくとも１つを、識別信号と共に送信するように、識別信号制御部４２ｂが狭域無線通信部４５を制御してもよい。その結果、第１子機Ａ１は、第１子機Ａ１の識別信号を受信した端末Ｘに対し、第１子機Ａ１の存在を知らせることができると共に、第１子機Ａ１の稼働状態を知らせることができる。
【０１７２】
（２）第４実施形態では、サーバ１０が複数の端末Ｘの送信電力を管理する。しかし、本発明はこれに限定されない。外部端末５０が複数の端末Ｘの送信電力を管理してもよい。この場合、例えば、ステップＳ２００（図１２参照）において、第１子機Ａ１から送信された条件信号を、外部端末５０が受信する。そして、ステップＳ２１０において、外部端末５０が第１子機Ａ１に対し指示信号を送信する。
【０１７３】
（３）第１実施形態から第５実施形態において、第１子機Ａ１以外の他の子機（第２子機Ａ２〜第５子機Ａ５）も、第１子機Ａ１と同様に、送信電力を制御して、通信信号が他の子機を通らないように通信信号を迂回させることができる。
【産業上の利用可能性】
【０１７４】
本発明は、情報端末、通信システム、及び端末制御方法の分野に利用可能である。
【符号の説明】
【０１７５】
１０    サーバ（中央制御装置）
４２ａ  通信制御部
４２ｂ  識別信号制御部
４２ｃ  中継算出部
４２ｄ  条件信号制御部
４２ｅ  判定部
４５    狭域無線通信部（通信部）
５０    外部端末
５３    入力部
１００  テレメータシステム（通信システム）
Ａ１    第１子機（情報端末）
Ｘ      端末
【図１】
2019161451.tif 000003
【図２】
2019161451.tif 000004
【図３】
2019161451.tif 000005
【図４】
2019161451.tif 000006
【図５】
2019161451.tif 000007
【図６】
2019161451.tif 000008
【図７】
2019161451.tif 000009
【図８】
2019161451.tif 000010
【図９】
2019161451.tif 000011
【図１０】
2019161451.tif 000012
【図１１】
2019161451.tif 000013
【図１２】
2019161451.tif 000014
【図１３】
2019161451.tif 000015
【図１４】
2019161451.tif 000016
【図１５】
2019161451.tif 000017
【図１６】
2019161451.tif 000018
【図１７】
2019161451.tif 000019
【図１８】
2019161451.tif 000020